(57)【要約】【課題】  本発明の課題は、遊技媒体を衛生的に保つことができる遊技媒体洗浄システムを提供することを目的とする。【解決手段】  本発明の遊技媒体洗浄システムは、殺菌性の高い酸性の電解水又はたんぱく質等の有機物に対して分解力の高いアルカリ性の電解水に界面活性剤を混合することで、調製される洗浄剤が陽イオン系又は陰イオン系の界面活性剤となり、より殺菌又は洗浄力が向上する。洗浄剤は液体であるため、遊技媒体全体を覆うように付着し、より高い殺菌力又は洗浄力を有する洗浄剤で、遊技媒体全体を十分に洗浄することができ、遊技媒体を衛生的に保つことができる。【選択図】図２
2007130220.tif 000002
【特許請求の範囲】
【請求項１】
遊技機で使用する遊技媒体を洗浄する遊技媒体洗浄システムであって、
原水を電解して酸性又はアルカリ性の電解水を生成する電解槽と、
前記電解槽で生成した酸性又はアルカリ性のいずれか一方の電解水と界面活性剤とを混合して洗浄剤を調製する洗浄剤調製部と、
前記遊技機から排出される前記遊技媒体を再び前記遊技機に供給するように搬送するために備えられた遊技媒体搬送樋の流路に設けられ、前記洗浄剤調製部で調製された前記洗浄剤を前記遊技媒体と接触させるように洗浄する洗浄部とを備えることを特徴とする遊技媒体洗浄システム。
【請求項２】
前記遊技媒体搬送樋は、前記遊技媒体の数を数える遊技媒体計数器から排出される遊技媒体を前記遊技機に供給することを特徴とする請求項１記載の遊技媒体洗浄システム。
【請求項３】
前記電解槽で生成された前記酸性電解水を貯蔵する酸性水貯蔵部を有することを特徴とする請求項１記載の遊技媒体洗浄システム。
【請求項４】
前記電解槽で生成された前記アルカリ性電解水を貯蔵するアルカリ性水貯蔵部を有することを特徴とする請求項１記載の遊技媒体洗浄システム。
【請求項５】
前記酸性電解水と前記アルカリ性電解水とを混合する混合部を有し、
前記混合部は、前記電解水の水素イオン濃度を調製することを特徴とする請求項１記載の遊技媒体洗浄システム。
【請求項６】
前記混合部で水素イオン濃度が調製された電解水を排出する排出口を前記遊技機近傍に備えることを特徴とする請求項５記載の遊技媒体洗浄システム。
【発明の詳細な説明】
【技術分野】
【０００１】
本発明は、原水を電解することで生成する酸性電解水とアルカリ性電解水とに界面活性剤を混合した洗浄剤を使用して、遊技機から排出される遊技媒体を洗浄する遊技媒体洗浄システムに関する。
【背景技術】
【０００２】
パチンコやスロットといった遊技機に使用するパチンコ玉やコインといった遊技媒体は、遊技機から排出され、再び遊技機に供給されるように、遊技場の中を循環している。このような遊技媒体は、人の手に触れたり、遊技場の中を循環したりしているうちに、雑菌や汚れが遊技媒体表面に付着してしまう。この雑菌や汚れが付着した遊技媒体の洗浄を怠ると、遊技媒体を介して遊技場で遊ぶ人に雑菌や汚れが付着することで不衛生であるというだけでなく、遊技媒体から異臭が発生することがある。
【０００３】
このような状態を避けるために、遊技媒体の洗浄は、必要不可欠であるといえる。従来、遊技媒体の洗浄としては、オゾンの存在下において遊技媒体に対して紫外線を照射することで、表面有機物の分解及び殺菌を可能とした洗浄装置があった（例えば、特許文献１参照）。
【０００４】
【特許文献１】特開２００５−０８０８０８号公報
【発明の開示】
【発明が解決しようとする課題】
【０００５】
しかしながら、特許文献１に記載された洗浄装置は、紫外線が照射された部分のみが分解及び殺菌されるため、照射されない箇所が存在する可能性があった。紫外線が照射されない部分は、有機物の分解及び殺菌がなされない。すなわち、十分に遊技媒体を洗浄することができない。
【０００６】
そこで、本発明は、上記実状に鑑み、殺菌性の高い酸性の電解水又はたんぱく質等の有機物に対して分解力の高いアルカリ性の電解水を使用して遊技媒体全体を洗浄することができ、遊技媒体を衛生的に保つことができる遊技媒体洗浄システムを提供することを目的とする。
【課題を解決するための手段】
【０００７】
本発明の遊技媒体洗浄システムは、遊技機で使用する遊技媒体を洗浄する遊技媒体洗浄システムであって、原水を電解して酸性又はアルカリ性の電解水を生成する電解槽と、前記電解槽で生成した酸性又はアルカリ性のいずれか一方の電解水と界面活性剤とを混合して洗浄剤を調製する洗浄剤調製部と、前記遊技機から排出される前記遊技媒体を再び前記遊技機に供給するように搬送するために備えられた遊技媒体搬送樋の流路に設けられ、前記洗浄剤調製部で調製された前記洗浄剤を前記遊技媒体と接触させるように洗浄する洗浄部とを備えることを特徴とする。
【０００８】
電解槽で生成した酸性の電解水は、強い殺菌性を有し、アルカリ性の電解水は、有機物に対する高い分解力を有している。この酸性又はアルカリ性の電解水に界面活性剤を混合することで、調製される洗浄剤が陽イオン系又は陰イオン系の界面活性剤となり、より殺菌又は洗浄力が向上する。洗浄剤は液体であるため、遊技媒体全体を覆うように付着し、より高い殺菌力又は洗浄力を有する洗浄剤で、遊技媒体全体を十分に洗浄することができ、遊技媒体を衛生的に保つことができる。
【０００９】
また、本発明の遊技媒体洗浄システムにおいて、前記遊技媒体搬送樋は、前記遊技媒体の数を数える遊技媒体計数器から排出される遊技媒体を前記遊技機に供給することを特徴とする。これにより、遊技機から排出される遊技媒体に限らず遊技場内で使用する全ての遊技媒体を十分に洗浄することができる。
【００１０】
さらに、本発明の遊技媒体洗浄システムにおいて、前記電解槽で生成された前記酸性電解水を貯蔵する酸性水貯蔵部を有することを特徴とする。酸性水貯蔵部を有することで、電解槽で生成した酸性電解水を貯蔵することができる。これにより、電解反応によって酸性電解水が生成するのを待つ必要がなく、必要時にすぐに使用することができる。
【００１１】
またさらに、本発明の遊技媒体洗浄システムにおいて、前記電解槽で生成された前記アルカリ性電解水を貯蔵するアルカリ性水貯蔵部を有することを特徴とする。アルカリ性水貯蔵部を有することで、電解槽で生成したアルカリ性電解水を貯蔵することができる。これにより、電解反応によってアルカリ性電解水が生成するのを待つ必要がなく、必要時にすぐに使用することができる。
【００１２】
さらにまた、本発明の遊技媒体洗浄システムにおいて、前記酸性電解水と前記アルカリ性電解水とを混合する混合部を有し、前記混合部は、前記電解水の水素イオン濃度を調製することを特徴とする。混合部で電解水の水素イオン濃度を調製することで、遊技媒体の洗浄に最適な水素イオン濃度を有する洗浄剤を調製することができる。これにより、遊技媒体の汚れに基づいた洗浄が可能となり、遊技媒体をより衛生的に保つことができる。
【００１３】
また、本発明の遊技媒体洗浄システムにおいて、前記混合部で水素イオン濃度が調製された電解水を排出する排出口を前記遊技機近傍に備えることを特徴とする。水素イオン濃度が調製された電解水を排出する排出口を備えることで、適度に調製された電解水を遊技客や遊技場の従業員に提供することができる。例えば、強酸性の電解水は、遊技機の清掃や遊技客の手洗い等に利用できる。すなわち、遊技機や遊技場を衛生的に保つことで、遊技媒体が汚れにくくなり、より遊技媒体を衛生的に保つことが可能となる。
【発明の効果】
【００１４】
本発明の遊技媒体洗浄システムは、酸性又はアルカリ性の電解水に界面活性剤を混合することで、調製される洗浄剤が陽イオン系又は陰イオン系の界面活性剤となり、より殺菌又は洗浄力が向上する。洗浄剤は液体であるため、遊技媒体全体を覆うように付着し、より高い殺菌力又は洗浄力を有する洗浄剤で、遊技媒体全体を十分に洗浄することができ、遊技媒体を衛生的に保つことができる。
【発明を実施するための最良の形態】
【００１５】
以下、本発明の遊技媒体洗浄システムについて図面を参照しながら詳細に説明する。
【００１６】
［実施の形態１］
本発明の遊技媒体洗浄システムは、パチンコやスロットといった遊技機が複数設備された遊技場に備えられる。実施の形態１では、パチンコを具体的な例として説明するが本発明はこれに限られるものではない。図１は、本発明の遊技媒体洗浄システムが備えられた遊技場の遊技機周辺を模式的に表した図である。図１のように、遊技場には、複数の遊技機９０が設置されている。
【００１７】
この遊技機９０は、発射レバー９１を回転させることで遊技機９０に遊技媒体が送り込まれる。送り込まれた遊技媒体は、遊技機９０上部から下部に向かって移動し、図示されない始動入賞口や排出口に到達する。この遊技機９０は、始動入賞口に遊技媒体が入賞すると、所定量の遊技媒体が遊技機９０に供給されたり、所定の確立で大当たりするようなプログラムを記憶したＲＯＭをこの遊技機９０に搭載されたＣＰＵで実行したりする。大当たりになると、さらに多くの量の遊技媒体が遊技機９０に供給される。遊技客は遊技機９０を用いて遊技媒体をより多く取得することを目指す。
【００１８】
一方、始動入賞口や排出口に到達した遊技媒体は、遊技機９０下部に備えられている遊技媒体搬送樋８０に到達する。遊技媒体搬送路８０は、例えば下記で説明する洗浄部１４に向かって傾斜している。したがって、各遊技機９０から排出された遊技媒体は、この遊技媒体搬送樋８０に沿って洗浄部１４に回収される。この遊技媒体搬送路８０は、洗浄部１４に向かって傾斜しているものに限らず、洗浄部１４に遊技媒体を集めることができるように形成されているものであればよい。
【００１９】
さらに、遊技機９０が複数設置された遊技場には、遊技客が取得した遊技媒体の数を数える遊技媒体計数器９５が設置されている。この遊技媒体計数器９５が数えた遊技媒体は上述の遊技媒体搬送樋８０に排出される。すなわち、遊技媒体搬送樋８０は、遊技機９０から排出される遊技媒体だけでなく、遊技媒体計数器９５から排出される遊技媒体も洗浄部１４に回収されることができる。これにより、遊技機９０から排出される遊技媒体に限らず遊技場内で使用する全ての遊技媒体を十分に洗浄することができる。
【００２０】
この遊技機９０の間に備えられる遊技媒体供給口９２は、金額に応じた量の遊技媒体を遊技機９０に供給することができる。この遊技媒体供給口９２には、遊技媒体搬送樋８０を介して下記で説明する洗浄部１４で洗浄された遊技媒体が供給される。すなわち、遊技媒体搬送樋８０は、遊技機９０や遊技媒体計数器９５から遊技媒体を回収し、洗浄部１４に搬送する。そして、洗浄部１４で洗浄した遊技媒体を遊技媒体搬送樋８０を経由して遊技媒体供給器９２や遊技機９０に供給するように搬送する。
【００２１】
図２は、遊技媒体洗浄システムの構成を示すブロック図である。本発明の遊技媒体洗浄システムは、上述した遊技機９０、遊技媒体供給部９２、遊技媒体計数器９５、及び、遊技媒体搬送樋８０の他に、供給部１０と、電解質添加部１１と、電解槽２０と、酸性水切替部３１と、アルカリ性水切替部３２と、界面活性剤貯蔵部１２と、洗浄剤調製部１３と、ｐＨセンサー１６と、洗浄部１４と、廃液排出部１５と、制御部３０とを備えている。
【００２２】
供給部１０は、酸性又はアルカリ性の電解水を生成させるために原水を電解槽２０に供給する。この供給部１０は、ポンプやバルブ等で構成され、電解槽２０に配管などで接続されることで流路が形成されている。そのため、制御部３０によりこのポンプやバルブを制御することで、電解槽２０に供給する原水の量を調整することができる。供給部１０で電解槽２０に供給する原水は、タンク等の容器に貯蔵されていても、例えば水道の蛇口のように原水をシステム内に直接導入させていてもよい。
【００２３】
また、供給部１０は、洗浄部１４に配管などで接続されるように原水を供給する流路が形成されている。これにより、原水を供給部１０から洗浄部１４に供給することができる。この供給部１０は、電解槽２０への原水の供給と同様に、制御部３０によりこのポンプやバルブを制御することで、洗浄部１４に供給する原水の量を調製することができる。この供給部１０から洗浄部１４に供給される原水は、洗浄部１４で遊技媒体に付着した洗浄剤を洗い流すための洗浄水として利用される。
【００２４】
電解質添加部１１は、供給部１０と電解槽２０とを接続する流路の途中で電解質が添加されるように備えられ、原水に電解質が添加される。原水に電解質が添加されることで、電解槽２０における原水の電解が効率的に行われる。この添加される電解質としては、特に限定されるものではないが、例えば塩化ナトリウム、塩化カリウム、塩化カルシウムなどの塩等が挙げられる。この電解質の添加方法としては、特に限定するものではないが、原水の一部を電解質が備えられた電解質添加部１１に通過させたり、電解質をそのまま又は溶液として原水に加えたりして、電解質を原水に添加してもよい。
【００２５】
また、この原水は、原水中の不純物を取り除くために、供給部１０にフィルタや活性炭等を備えていてもよい。これにより、原水内の不純物が減少し、効率的に電解を行うことができる。また、この原水を使用して電解槽２０で生成した酸性やアルカリ性の電解水の水素イオン濃度を調節する際にこれら電解水への不純物の影響を少なくすることができる。
【００２６】
電解槽２０は、隔膜２１を挟んで、陽極２２と、陰極２３とが対向するように配置されている。この陽極２２と陰極２３は、図示されていない電源装置に接続されている。この電解槽２０に供給部１０から電解質が添加された原水が供給されることで、原水の電解が起こり、陽極２２側に酸性の電解水、陰極２３側にアルカリ性の電解水が生成する。この隔膜２１は、例えば、電解槽２０内で発生するイオンを透過させるイオン交換膜を利用することができる。また、陽極２２及び陰極２３は、例えば、白金やチタン等の金属により形成され、白金チタンコーティングされた電極も使用することができる。
【００２７】
電解槽２０の陽極２２側は、酸性水切替部３１に配管などで接続されることで流路が形成されている。この流路を経由して、陽極２２側で生成した酸性の電解水を酸性水切替部３１に供給することができる。この流路は、酸性水切替部３１に酸性の電解水を供給するように形成されていればどのような態様であってもよい。
【００２８】
電解槽２０の陰極２３側も同様に、アルカリ性水切替部３２に配管などで接続されることで、流路が形成されている。この流路を経由して、陰極２３側で生成したアルカリ性の電解水をアルカリ性水切替部３２に供給することができる。この流路は、アルカリ性水切替部３２にアルカリ性の電解水を供給するように形成されていればどのような態様であってもよい。これにより、電解槽２０で発生した酸性とアルカリ性の電解水は、混ざらずに洗浄剤調製部１３に供給するこができる。
【００２９】
酸性水切替部３１は、洗浄剤調製部１３と廃液排出部１５とに配管などで接続されることで、流路が形成されている。この酸性水切替部３１は、制御部３０の制御により、供給された酸性電解水を洗浄剤調製部１３又は廃液排出部１５のいずれか一方に供給するように切り替えることができる。
【００３０】
酸性水切替部３１は、例えば、図３のように、電解槽２０で生成した酸性電解水が流れる流路が分岐し、洗浄剤調製部１３と廃液排出部１５とに分かれるような流路が形成されている。そして、この分岐点の下流側の洗浄剤調製部１３側と廃液排出部１５と側との流路にそれぞれバルブ１とバルブ２が設けられている。このバルブ１とバルブ２を制御部３０の制御により、開け閉めすることで供給される酸性電解水を洗浄剤調製部１３又は廃液排出部１５のいずれか一方に供給することができる。
【００３１】
アルカリ性水切替部３２は、酸性水切替部３１と同様に、洗浄剤調製部１３と廃液排出部１５とに配管などで接続されることで、流路が形成されている。この酸性水切替部３１は、制御部３０の制御により、供給されたアルカリ性電解水を洗浄剤調製部１３又は廃液排出部１５のいずれか一方に供給するように切り替えることができる。このアルカリ性水切替部５６も、例えば、酸性水切替部５５と同様の態様とすることもできる。これにより、酸性電解水を洗浄剤調製部１３又は廃液排出部１５のいずれか一方に供給することができる。
【００３２】
界面活性剤貯蔵部１２は、界面活性剤を貯蔵するタンクで、洗浄剤調製部１３に必要な量を供給できるように図示されないポンプやバルブ等が備えられている。そして、洗浄剤調製部１３に配管などで接続されることで流路が形成されている。そのため、制御部３０によりこのポンプやバルブを制御することで、電解槽２０に供給する原水の量を調整することができる。そのため、制御部３０によりこのポンプやバルブを制御して、洗浄剤調製部１３に供給する界面活性剤の量を調整することができる。この界面活性剤貯蔵部１２は、洗浄剤調製部１３で洗浄剤が調製できるように備えられていればどのような態様であってもよい。
【００３３】
界面活性剤貯蔵部１２に貯蔵される界面活性剤は、特に限定するものではなく、通常の遊技媒体を洗浄する際に利用されるものであってもよい。例えば、使用する界面活性剤としては、陰イオン系、陽イオン系、両性イオン系、又は、非イオン系というように分類される界面活性剤を少なくとも１種類選択される。特に、両性イオン系の界面活性剤の使用は、洗浄剤調製部１３で界面活性剤と混合される電解水の水素イオン濃度により、陰イオン系や陽イオン系の界面活性剤となるためより好ましい。
【００３４】
洗浄剤調製部１３は、供給される酸性又はアルカリ性の電解水と界面活性剤とを混合し、遊技媒体を洗浄する洗浄剤を調製する。この洗浄剤調製部１３は、ｐＨセンサー１６を経由して洗浄部１４に配管などで流路が形成されている。この流路を経由して洗浄部１４に調製された洗浄剤が供給される。この洗浄剤調製部１３では、供給される酸性電解水又はアルカリ性電解水と界面活性剤との量により調製する洗浄剤の水素イオン濃度を適宜変更することができる。すなわち、遊技媒体の状態に最適な洗浄剤を調製することができる。
【００３５】
例えば、両性の界面活性剤を使用している場合、界面活性剤と混合する電解水の水素イオン濃度に応じて性質が異なる。電解水が水素イオン濃度（ｐＨ）１０から１２程度のアルカリ性の場合、界面活性剤は陰イオン系の界面活性剤となるため、たんぱく質等に対する洗浄力が高くなる。一方、電解水が水素イオン濃度（ｐＨ）２から４程度の酸性の場合、界面活性剤は陽イオン系の界面活性剤となるため、殺菌性が高くなり、遊戯媒体の帯電防止に寄与する。洗浄剤調製部１３は、遊技する遊技客の入場状況や時間帯などにより、適宜変更可能である。この洗浄剤の水素イオン濃度は、制御部３０がｐＨセンサー１６を確認しながら、酸性水切替部３１、アルカリ性水切替部３２、及び、界面活性剤貯蔵部１２を制御することで、調節することができる。
【００３６】
洗浄部１４は、遊技機９０及び遊技媒体計数器９５から排出される遊技媒体が、再び遊技機９０に供給されるように形成された遊技媒体搬送樋８０に形成されている。すなわち、遊技機９０及び遊技媒体計数器９５から排出される遊技媒体が遊技媒体搬送樋８０を通って洗浄部１４に供給され、洗浄部１４で洗浄された遊技媒体が遊技媒体搬送樋８０を通って遊技機９０に供給される。また、洗浄部１４は、廃液排出部１５と配管などで接続されて、遊技媒体の洗浄に使用した洗浄剤及び遊技媒体に付着した洗浄剤を落とすために用いられる洗浄水（原水）を廃液として排出するための流路が形成されている。
【００３７】
洗浄部１４での遊技媒体の洗浄方法としては、特に限定するものではないが、遊技媒体と洗浄剤を付着させ、例えば洗浄剤を付着させた遊技媒体を回転させたり、研磨するように擦ったりすることで洗浄し、供給部１０から供給される洗浄水である原水で遊技媒体に付着した洗浄液を洗い流すという方法などが挙げられる。また、遊技媒体に洗浄剤を付着させる方法としては、特に限定するものではないが、例えば、溜められた洗浄剤の中に、遊技媒体を投入させたり、遊技媒体搬送樋８０を流れるように搬送される遊技媒体に対して噴霧するように接触させたりしてもよい。
【００３８】
遊技媒体と洗浄剤とを接触させる方法としては、特に限定するものではないが、例えば、溜められた洗浄剤の中に、遊技媒体を投入させたり、遊技媒体搬送樋８０を流れるように搬送される遊技媒体に対して噴霧するように接触させたりしてもよい。また、洗浄部１４は、遊技媒体の洗浄中に遊技媒体の研磨を行ってもよく、このとき、研磨剤を使用してもよい。洗浄部１４は、洗浄に使用した洗浄液すなわち廃液を廃液排出部１５に排出するために配管などにより流路が形成されている。
【００３９】
廃液排出部１５は、洗浄部１４から排出された廃液を排出する。この廃液排出部１５は、廃液を排出するように形成されていればどのような態様であってもよく、例えば、タンクなどで、一定量の廃液を貯蔵するようになっていてもよい。また、直接遊技場の下水等に流れるようになっていてもよい。
【００４０】
また、この廃液排出部１５は、酸性水切替部３１及びアルカリ性水切替部３２から洗浄剤の調製に使用されなかった酸性又はアルカリ性の電解水が配管等を経由して流入する。この電解水を混合することで、廃液の水素イオン濃度が中性に近い値となる。それは、電解槽２０で酸性の電解水とアルカリ性の電解水とがほぼ同量生成する。この一部を洗浄剤に使用し、残りを廃液排出部１５に供給すると、使用済み洗浄剤と洗浄剤として使用しなかった電解水が廃液排出部１５で混合されるため略中性となる。したがって、中性の廃液として排出することができ、水素イオン濃度による環境への影響を少なくすることができる。
【００４１】
制御部３０は、外部からの操作や時間などに応じて、供給部１０、界面活性剤貯蔵部１２、酸性水切替部３１、アルカリ性水切替部３２に信号を送信するように制御する。例えば、供給部１０から電解槽２０や洗浄部１４に供給する原水の流入量を制御したり、界面活性剤貯蔵部１２から洗浄剤調製部１３に供給する界面活性剤の流入量を制御したりする。また、酸性水切替部３１及びアルカリ性水切替部３２に備えられているバルブ１及びバルブ２を開け閉めし、洗浄剤調製部１３に電解水を供給したり、廃液排出部１５に電解水を排出したりすることができる。この制御部３０を操作することで、本発明の遊技媒体洗浄システム全体を制御することができる。
【００４２】
本発明の遊技媒体洗浄システムは、以下のように動作する。制御部３０の制御により、まず、水等の原水を供給部１０の例えばポンプやバルブを作動させ、電解槽２０に供給する。このとき、ポンプやバルブ等を制御部３０で制御することによって流量等を調整することもできる。
【００４３】
そして、原水が供給部１０から電解槽２０に供給される際、電解質添加部１１により電解質が原水に添加される。そして、電解質が添加された原水は、電解槽２０に流入する。電解槽２０は、電源と電気的に接続さており、隔膜２１を介して陽極２２側と陰極２３側とで、供給された原水の電解反応を行うことができる。
【００４４】
例えば、水に塩化ナトリウムを添加すると、陽極２２側では、水素イオン（Ｈ＋）が発生し、陰極２３では、水酸化物イオン（ＯＨ−）が発生する。したがって、陽極２２側では、酸性の電解水となり、陰極２３側では、アルカリ性の電解水となる。このように、電解槽２０による電解によって酸性電解水とアルカリ性電解水とを生成することができる。このとき、陽極２２側には、塩化ナトリウム由来の塩化物イオン（Ｃｌ−）によって次亜塩素酸も生成する。この酸性電解水は殺菌性に優れ、アルカリ性電解水はたんぱく質をはじめとする有機物に対して高い洗浄効果を示す。
【００４５】
電解槽２０の陽極２２側で生成した酸性電解水は、陽極２２側に形成された流路を通じて、酸性水切替部３１に供給される。同様に、電解槽２０の陰極２３側で生成したアルカリ性電解水は、陰極２３側に形成された流路を通じて、アルカリ性水切替部３２に供給される。
【００４６】
次に、酸性水切替部３１に供給された酸性電解水、及びアルカリ性水切替部３２に供給されたアルカリ性電解水は、使用する洗浄剤の水素イオン濃度に応じた制御部３０の制御の基でバルブ２が開け閉めされ、酸性又はアルカリ性の電解水が洗浄剤調製部１３に供給される。
【００４７】
そして、界面活性剤貯蔵部１２に貯蔵されている界面活性剤は、制御部３０の制御の基で洗浄剤調製部１３に供給される。この洗浄剤調製部１３は、供給された酸性又はアルカリ性の電解水と界面活性剤を混合し、洗浄剤を調製する。このとき、制御部３０は、ｐＨセンサー１６で水素イオン濃度を確認しながら、使用する洗浄剤の水素イオン濃度を調製するように、酸性水切替部３１やアルカリ性水切替部３２のバルブ２を開け閉めして、所定の水素イオン濃度の洗浄剤を調製する。
【００４８】
洗浄剤調製部１３で調製された洗浄剤は、洗浄部１４に供給される。一方、遊技機９０及び遊技媒体計数器９５から排出され、遊技客が使用した遊技媒体は、遊技媒体搬送路８０を経由して洗浄部１４に供給される。洗浄部１４では、遊技台９０から排出される遊技媒体に洗浄剤調製部１３で調製した洗浄剤を接触させる。このとき、洗浄剤は液体であるため、遊技媒体全体を覆うように付着する。
【００４９】
そして、洗浄部１４は、洗浄剤が付着した遊技媒体を例えば回転させたり、研磨するように擦ったりすることで、遊技媒体表面に付着した汚れを洗浄する。このとき、使用する電解水が酸性である場合、遊技媒体表面に付着した細菌を殺菌するとともに、遊技媒体同士の接触や遊技機中を通過することにより起こる帯電を防止することができる。一方、使用する電解水がアルカリ性である場合、遊技媒体表面に付着した手垢等のたんぱく質の汚れをよく落とすことができる。これにより、遊技媒体全体を十分に洗浄することができ、遊技媒体をより衛生的に保つことができる。
【００５０】
遊技媒体を洗浄した洗浄部１４は、制御部３０によってポンプやバルブ等を制御することで供給部１０から供給される原水を使用して遊技媒体に付着している洗浄剤を洗い流し、乾燥する。そして、洗浄部１４で洗浄した遊技媒体は、遊技媒体搬送樋８０を経由して遊技機９０に供給される。一方、洗浄部１４は、遊技媒体を洗浄した洗浄液及び洗浄液を洗い流すための洗浄水（原水）を廃液として廃液排出部１５に供給する。
【００５１】
洗浄剤の調製に使用しなかった酸性又はアルカリ性の電解水は、制御部３０によって酸性水切替部３１やアルカリ性水切替部３２のバルブ１が開け閉めされ、廃液排出部１５に排出される。そして、廃液排出部１５は、洗浄部１４から供給された廃液に、洗浄剤の調製に使用しなかった酸性又はアルカリ性の電解水を混合し、遊技媒体洗浄システムの外部に排出する。
【００５２】
遊技機９０に供給された遊技媒体は、遊技媒体供給部９２などから遊技機９０に供給され、遊技客に再び使用される。この遊技媒体洗浄システムは、この工程を繰り返し行い、遊技媒体を清潔に保ったまま循環することができる。
【００５３】
電解槽で生成した酸性の電解水は、強い殺菌性を有し、アルカリ性の電解水は、有機物に対する高い分解力を有している。この酸性又はアルカリ性の電解水に界面活性剤を混合することで、調製される洗浄剤が陽イオン系又は陰イオン系の界面活性剤となり、より殺菌又は洗浄力が向上する。洗浄剤は液体であるため、遊技媒体全体を覆うように付着し、より高い殺菌力又は洗浄力を有する洗浄剤で、遊技媒体全体を十分に洗浄することができ、遊技媒体を衛生的に保つことができる。さらに、遊技媒体の洗浄に使用する洗浄剤の水素イオン濃度は適宜変更することも可能であり、時間帯や遊技客の入場状況などに応じて洗浄剤の水素イオン濃度を変更することができ、より遊技媒体を衛生的に保つことができる。
【００５４】
さらに、本発明の遊技媒体洗浄システムにおいて、酸性水切替部と電解槽との間に電解槽で生成された酸性電解水を貯蔵する酸性水貯蔵部や、アルカリ性水切替部と電解槽との間に電解槽で生成されたアルカリ性電解水を貯蔵するアルカリ性水貯蔵部を備えてもよい。この酸性水貯蔵部やアルカリ性水貯蔵部は、タンクのようなもので、電解槽２０、酸性水切替部３１、アルカリ性水切替部３２とそれぞれ配管などで接続されている。この酸性水貯蔵部やアルカリ性水貯蔵部を備えることで、電解反応によって酸性及びアルカリ性の電解水が生成するのを待つ必要がなく、必要時にすぐに使用することができる。
【００５５】
［実施の形態２］
実施の形態２で説明する遊技媒体洗浄システムは、電解槽２０で生成した酸性又はアルカリ性の電解水を洗浄剤の調製にのみに使用するのではなく、遊技機９０の近傍に電解水の排出口を備え、遊技客への飲料水や、遊技台９０の消毒薬として提供するシステムである。以下、図４を使用して説明するが、実施の形態１と重複するものは、同じ番号を付して説明を省略する。実施の形態２で説明する遊技媒体洗浄システムは、図４のように、混合部１７と、ｐＨセンサー１８と、遊技機９０の近傍に電解水の排出口として電解水排出部１９をさらに備えている。
【００５６】
混合部１７は、電解槽２０で生成した酸性又はアルカリ性の電解水を混合し、所定の水素イオン濃度の電解水を調製する。この混合部１７には、実施の形態１で説明した酸性水切替部３１及びアルカリ性水切替部３２の廃液排出部への流路に替わって、混合部１７には、バルブ１を制御部３０によって開け閉めすることで、配管等で流入するように流路が形成されている。すなわち、制御部３０で、バルブ１の開け閉めを制御することで、所定の水素イオン濃度を有する電解水を調製することができる。
【００５７】
この混合部１７は、遊技機９０の近傍に備えられる排出口として電解水排出部１９に配管等で接続された流路が形成されている。この流路や混合部１７の内部にｐＨセンサー１８が備えられている。制御部３０は、このｐＨセンサ１８ーが示す水素イオン濃度の値を確認しながら、混合部１７で調製する電解水の水素イオン濃度を調製する。
【００５８】
電解水排出部１９は、電解水を排出する排出口として遊技機９０の近傍に備えられている。この電解水排出部１９は、バルブ等が備えられており、例えば、遊技機９０の近傍に備えられたスイッチなどで、混合部１７で水素イオン濃度が調製された電解水が排出される。
【００５９】
このような実施の形態２の遊技媒体洗浄システムは、実施の形態１と同様に、遊技機９０や遊技媒体計数器９５から排出される遊技媒体を洗浄することができ、洗浄後遊技機９０に遊技媒体を供給することができる。また、制御部３０で、酸性水切替部やアルカリ性水切替部のバルブ１を開け閉めするように制御することで、所定の水素イオン濃度を有する電解水を調製することができる。
【００６０】
排出される電解水としては、例えば、水素イオン濃度が２から４程度の強酸性の電解水や、水素イオン濃度が７から９程度の中性又は弱アルカリ性の電解水等が挙げられる。強酸性の電解水は、殺菌作用が強いため、遊技台９０やその周辺の消毒に利用することができ、これを遊技場の従業員が使用することで遊技媒体だけでなく、遊技台９０や遊技場全体を衛生的に保つことができる。また、中性又は弱アルカリ性の電解水は、飲料水として使用でき、遊技客の渇いた喉を潤すことができる。
【００６１】
実施の形態２で説明した混合部１７は、調製した電解水を洗浄剤調製部１３に供給するように配管等で流路が形成されていてもよい。これにより、水素イオン濃度が調製された電解水を洗浄剤調製部１３に供給することができる。これにより、細菌や汚れの付着した遊技媒体表面の状態に基づいた洗浄が可能となり、遊技媒体をより衛生的に保つことができる。
【００６２】
したがって、実施の形態２で説明した本発明の遊技媒体洗浄システムは、水素イオン濃度が調製された電解水を排出する電解水排出部１９を備えることで、適度に調製された電解水を遊技客や遊技場の従業員に提供することができる。例えば、強酸性の電解水は、遊技機の清掃や遊技客の手洗い等に利用できる。すなわち、遊技機や遊技場を衛生的に保つことで、遊技媒体が汚れにくくなり、より遊技媒体を衛生的に保つことが可能となる。
【００６３】
実施の形態２で説明した遊技媒体洗浄システムは、実施の形態１で説明した遊技媒体洗浄システムと組み合わせることができる。これにより、遊技媒体をより衛生的に保つことができる。
【００６４】
［実施の形態３］
実施の形態３で説明する遊技媒体洗浄システムは、電解槽２０で生成した酸性又はアルカリ性の電解水を洗浄剤の調製にのみに使用するのではなく、遊技媒体に付着した洗浄剤を洗い流すための洗浄水として提供するシステムである。以下、図５を使用して説明するが、実施の形態１と重複するものは、同じ番号を付して説明を省略する。
【００６５】
実施の形態３で説明する遊技媒体洗浄システムは、図５のように、洗浄水調製部２５をさらに備えている。
【００６６】
洗浄水調製部２５は、電解槽２０で生成した酸性又はアルカリ性の電解水と供給部１０から供給される水とを混合し、所定の水素イオン濃度の洗浄水を調製する。この混合部１７には、実施の形態１で説明した酸性水切替部３１及びアルカリ性水切替部３２の廃液排出部への流路に替わって、洗浄水調製部２５には、バルブ１を制御部３０によって開け閉めすることで、配管等で流入するように流路が形成されている。また、供給部１０から洗浄部１４への流路に替わって、洗浄水調製部２５には、供給部１０のポンプやバルブ等を制御部３０によって制御して配管等で、流入するように流路が形成されている。
【００６７】
この洗浄水調製部２５は、洗浄部１４に配管等で接続された流路が形成されている。制御部３０は、洗浄水調製部２５で調製する電解水の水素イオン濃度を調製するようにｐＨセンサーを備え、その水素イオン濃度の値を確認しながら酸性水切替部３１やアルカリ性水切替部３２や供給部１０を制御してもよい。
【００６８】
このような実施の形態３の遊技媒体洗浄システムは、実施の形態１と同様に、遊技機９０や遊技媒体計数器９５から排出される遊技媒体を洗浄することができ、洗浄後遊技機９０に遊技媒体を供給することができる。また、洗浄水調製部２５で、洗浄部１４で使用する洗浄水の水素イオン濃度を調製することができる。
【００６９】
これにより、洗浄剤とは逆の性質を有する洗浄水を使用することで、遊技媒体への腐食等の影響を少なくすることができる。例えば、生成した酸性電解水を洗浄剤に使用するように制御部３０で酸性水切替部３１のバルブ２を開けて洗浄剤調製部１３に供給し、酸性の洗浄剤を調製する。このとき、アルカリ性電解水は、洗浄水に利用するためにアルカリ性水切替部３２のバルブ１を開けて洗浄水調製部２５に供給し、アルカリ性の洗浄水を調製する。洗浄部１４は、生成した洗浄剤を遊技媒体と接触させて洗浄し、その洗浄剤を洗浄水で洗い流す。これにより、遊技媒体からの洗浄剤の除去とともに洗浄剤が中和されるため、遊技媒体への酸性の洗浄剤の影響を少なくすることができる。
【００７０】
また逆に、例えば、生成したアルカリ性電解水を洗浄剤に使用するように制御部３０でアルカリ性水切替部３１のバルブ２を開けて洗浄剤調製部１３に供給し、アルカリ性の洗浄剤を調製する。このとき、酸性電解水は、洗浄水に利用するために酸性水切替部３２のバルブ１を開けて洗浄水調製部２５に供給し、酸性の洗浄水を調製する。洗浄部１４は、生成した洗浄剤を遊技媒体と接触させて洗浄し、その洗浄剤を洗浄水で洗い流す。これにより、遊技媒体からの洗浄剤の除去とともに洗浄剤が中和されるため、遊技媒体へのアルカリ性の洗浄剤の影響を少なくすることができる。
【００７１】
洗浄部１４で使用する洗浄剤は、酸性又はアルカリ性の電解水を使用している。遊技媒体は金属であることが多いため、長時間酸性又はアルカリ性に偏った水素イオン濃度の洗浄剤と接触させることで、遊技媒体が腐食する可能性もある。洗浄部１４では、洗浄剤での洗浄後すぐに、洗浄水により洗浄剤を洗い流すため、その影響はかなり少ないが、このときに使用する洗浄水が洗浄剤とは逆の性質の洗浄水で洗浄剤を洗い流すことで、遊技媒体への腐食などの影響を少なくすることができる。
【００７２】
実施の形態３で説明した遊技媒体洗浄システムは、実施の形態１及び２で説明した遊技媒体洗浄システムと組み合わせることができる。これにより、遊技媒体をより衛生的に保つことができる。
【図面の簡単な説明】
【００７３】
【図１】本発明の遊技媒体洗浄システムが備えられた遊技場の遊技機周辺を模式的に表した図である。
【図２】実施の形態１で説明する遊技媒体洗浄システムの構成を示すブロック図である。
【図３】本発明の酸性水切替部及びアルカリ性水切替部の構造の一例を示した模式図である。
【図４】実施の形態２で説明する遊技媒体洗浄システムの構成を示すブロック図である。
【図５】実施の形態３で説明する遊技媒体洗浄システムの構成を示すブロック図である。
【符号の説明】
【００７４】
１０  供給部
１１  電解質添加部
１２  界面活性剤貯蔵部
１３  洗浄剤調製部
１４  洗浄部
１５  排出部
１６  ｐＨセンサー
２０  電解槽
２１  隔膜
２２  陽極
２３  陰極
３０  制御部
３１  酸性水切替部
３２  アルカリ性水切替部
８０  遊技媒体搬送樋
９０  遊技機
９５  遊技媒体計数器
【図１】
2007130220.tif 000003
【図２】
2007130220.tif 000004
【図３】
2007130220.tif 000005
【図４】
2007130220.tif 000006
【図５】
2007130220.tif 000007